(57)【要約】【課題】  スプリンクラー配管に装着された状態のスプリンクラーヘッドを保護すること。【解決手段】  先端にスプリンクラーヘッドが固定されたスプリンクラー配管の先端部に装着可能な上下開口筒状のスプリンクラーヘッド保護用カバーであって、上記スプリンクラー配管の先端部のフランジに装着可能な環状装着部と、該環状装着部の一方縁側に設けられた筒状の中空多孔防護枠と、該中空多孔防護枠の下端に設けられた下部開口環とから構成され、上記環状装着部を上記フランジに固定したとき、上記中空多孔防護枠が上記スプリンクラーヘッドの外周面を所定間隔を介して被覆すると共に、上記環状装着部の上記フランジへの固定状態において、上記下部開口環が上記スプリンクラーヘッドの下端より下方に位置するように構成する。【選択図】  図３
2010005205.tif 000002
【特許請求の範囲】
【請求項１】
先端にスプリンクラーヘッドが固定されたスプリンクラー配管の先端部に装着可能な上下開口筒状のスプリンクラーヘッド用保護カバーであって、
上記スプリンクラー配管のスプリンクラーヘッド取付部近傍の先端管部に装着可能な環状装着部と、
該環状装着部の一方縁側に設けられた筒状の中空多孔防護枠とから構成され、
上記環状装着部を上記先端管部に固定することにより、上記中空多孔防護枠が上記スプリンクラー配管の先端に取り付けられたスプリンクラーヘッドの外周面を、該面に対して所定間隔を以って被覆すると共に、
上記環状装着部の上記先端管部への固定状態において、上記中空多孔防護枠の下部が上記スプリンクラーヘッドの下端より下方に位置するように構成されたものであることを特徴とするスプリンクラーヘッド用保護カバー。
【請求項２】
上記筒状の中空多孔防護枠が、上下部分に少径部を有し、中央部分に大径部を有する樽形状をなしているものであることを特徴とする請求項１記載のスプリンクラーヘッド用保護カバー。
【請求項３】
上記筒状の中空多孔防護枠が、円柱形状であることを特徴とする請求項１記載のスプリンクラーヘッド用保護カバー。
【請求項４】
上記中空多孔防護枠の外面に温度表示ラベルを貼着したものであることを特徴とする請求項１〜３の何れかに記載のスプリンクラーヘッド用保護カバー。
【請求項５】
先端にスプリンクラーヘッドが固定されたスプリンクラー配管の上記先端管部に、上記環状装着部を以って上記スプリンクラーヘッド用保護カバーを装着したものであることを特徴とする請求項１〜４の何れかに記載のスプリンクラーヘッド用保護カバーを装着したスプリンクラー配管。
【発明の詳細な説明】
【技術分野】
【０００１】
本発明は未設のスプリンクラー配管の先端に予めスプリンクラーヘッドを装着した状態のスプリンクラーヘッド付配管において、スプリンクラーヘッドを保護するためのスプリンクラーヘッド用保護カバー及びその保護カバーを装着したスプリンクラー配管に関するものである。
【背景技術】
【０００２】
建築物の天井又は壁面等にスプリンクラーを設置する際、現場に、スプリンクラー配管と、箱詰めされた複数のスプリンクラーヘッドを別々に持ち込み、現場において、天井裏に上記スプリンクラー配管を敷設し、そのスプリンクラー配管の先端にスプリンクラーヘッドを装着する作業が行われている。
【０００３】
この場合、スプリンクラーヘッドには保護キャップが取り付けられており、当該ヘッドを上記天井のスプリンクラー配管に装着した後に、上記保護キャップを取り外すことが行われている（特許文献１，２，３）。
【０００４】
また、最近では作業の効率化のために、工場において、スプリンクラー配管の先端に予めスプリンクラーヘッドを装着しておき、スプリンクラーヘッド付の配管を現場に持ち込み、当該スプリンクラーヘッド付の配管を、天井にそのまま敷設することが行われている。
【０００５】
【特許文献１】特開昭６２−７４３８０号
【特許文献２】特開平８−７５５号
【特許文献３】特開２０００−１０７３１８号
【発明の開示】
【発明が解決しようとする課題】
【０００６】
ところで、特許文献１〜３に記載のスプリンクラーヘッドの保護キャップは、スプリンクラーヘッド単体をまとめて運搬する場合等において、スプリンクラーヘッド同士の接触等からスプリンクラーヘッドを保護する機能を有しているが、上述のようにスプリンクラーヘッド付配管としてスプリンクラーヘッドを配管先端に装着した状態で、長いスプリンクラー配管を運搬する場合等においては、配管に装着されたスプリンクラーヘッド部分が他の物品と衝突する可能性が高まるため、当該配管に装着状態のスプリンクラーヘッドを振動或いは衝突等から保護するためのより効果的な対策が望まれる。
【０００７】
また、従来は運搬中の温度管理は、スプリンクラーヘッド運搬収納用の箱内に断熱材を用いること等により行ってきたが、スプリンクラーヘッドを配管先端に装着した状態で運搬する場合は、運搬中の温度管理をいかにして行うかが課題となる。
【０００８】
本発明は上記課題に鑑みてなされたものであり、スプリンクラーヘッド付配管を運搬する上で、効果的にスプリンクラーヘッドを保護するためのスプリンクラーヘッド用保護カバー及びその保護カバーを装着したスプリンクラー配管を提供することを目的とする。また、運搬中の温度管理をも容易に行うことのできるスプリンクラーヘッド用保護カバー及びその保護カバーを装着したスプリンクラー配管を提供することを目的とする。
【課題を解決するための手段】
【０００９】
上記の目的を達成するため本発明は、
第１に、先端にスプリンクラーヘッドが固定されたスプリンクラー配管の先端部に装着可能な上下開口筒状のスプリンクラーヘッド用保護カバーであって、上記スプリンクラー配管のスプリンクラーヘッド取付部近傍の先端管部に装着可能な環状装着部と、該環状装着部の一方縁側に設けられた筒状の中空多孔防護枠とから構成され、上記環状装着部を上記先端管部に固定することにより、上記中空多孔防護枠が上記スプリンクラー配管の先端に取り付けられたスプリンクラーヘッドの外周面を該面に対して所定間隔を以って被覆すると共に、上記環状装着部の上記先端管部への固定状態において、上記中空多孔防護枠の下部が上記スプリンクラーヘッドの下端より下方に位置するように構成されたものであることを特徴とするスプリンクラーヘッド用保護カバーにより構成される。
【００１０】
上記スプリンクラー配管のスプリンクラーヘッド取付部近傍の先端管部とは、例えばスプリンクラー配管（１）の先端（１’）の中空フランジ（６）の部分をいう。上記中空多孔防護枠の下部とは、例えば中空多孔防護枠の下端に設けられた開口環（１１）とすることができるが、開口環を設けずに中空多孔防護枠（１０）の下端の環状開口縁とすることもできる。従って、スプリンクラーヘッドの装着されたスプリクラー配管の先端管部に本発明に係るスプリンクラーヘッド用保護カバーを装着すると、当該保護カバーがスプリンクラーヘッドを覆い、また当該保護カバーはスプリンクラー配管側に固定されるので、当該保護カバーが外部からの振動等のスプリンクラーヘッドへの直接の伝達を抑制し得てスプリンクラーヘッドを保護することができる。スプリンクラーヘッドに保護キャップを装着しているときは、上記中空多孔防護枠の下端は上記保護キャップの下端より下方に位置するように構成することが好ましい。
【００１１】
第２に、上記筒状の中空多孔防護枠が、上下部分に少径部を有し、中央部分に大径部を有する樽形状をなしているものであることを特徴とする上記第１記載のスプリンクラーヘッド用保護カバーにより構成される。
【００１２】
中空多孔防護枠の上下部分とは例えば中空多孔防護枠（１０）の連結部（１３ａ，１３ｂ）をいい、中央部分とは例えば中空多孔防護枠（１０）の最大径部（１３ｃ）をいう。このように構成すると、外部からの衝撃等により上記保護カバーがある程度変形したとしても、内部のスプリンクラーヘッドを適切に保護することができる。
【００１３】
第３に、上記筒状の中空多孔防護枠が、円柱形状であることを特徴とする上記第１記載のスプリンクラーヘッド用保護カバーにより構成される。
【００１４】
このように構成すると、外部からの衝撃等により内部のスプリンクラーヘッドを保護し得ると共に、スプリンクラー配管として運搬する場合等においてスペース効率を向上することができる。
【００１５】
第４に、上記中空多孔防護枠の外面に温度表示ラベルを貼着したものであることを特徴とする上記第１〜３の何れかに記載のスプリンクラーヘッド用保護カバーにより構成される。
【００１６】
上記温度表示ラベルは、例えば温度を色の変化で表示し得る不可逆性示温材を用いることが好ましい。このように構成すると、運搬途中にスプリンクラーヘッドがどのような温度環境に置かれたかを確認することができる。
【００１７】
第５に、先端にスプリンクラーヘッドが固定されたスプリンクラー配管の上記先端管部に、上記環状装着部を以って上記スプリンクラーヘッド用保護カバーを装着したものであることを特徴とする上記第１〜４の何れかに記載のスプリンクラーヘッド用保護カバーを装着したスプリンクラー配管により構成される。
【００１８】
このように構成すると、スプリンクラー配管の運搬時においてスプリンクラーヘッドを効果的に保護することができると共に、現場においてスプリンクラー設備の設置作業をより効率的に行うことができる。
【発明の効果】
【００１９】
本発明のスプリンクラーヘッド用保護カバーによると、当該保護カバーがスプリンクラー配管先端のスプリンクラーヘッドを覆い、また当該保護カバーはスプリンクラー配管側に固定されるので、振動、衝撃等からスプリンクラーヘッドを効果的に保護することができる。
【００２０】
また、スプリンクラーヘッド用保護カバーを装着したスプリンクラー配管によると、スプリンクラー配管の運搬時においてスプリンクラーヘッドを効果的に保護することができると共に、現場においてスプリンクラー設備の設置作業をより効率的に行うことができる。
【００２１】
また、温度表示ラベルを確認することにより、スプリンクラーヘッドの運搬中の温度管理をも行うことができるものである。
【発明を実施するための最良の形態】
【００２２】
所定長のスプリンクラー配管１の先端部１’を直角に屈曲し、該先端部１’に突出した中空雄ネジに取付け用六角中空ナット２の雌ネジ部の上部を螺入して取り付ける。
【００２３】
上記六角中空ナット２の下部雌ネジ部にスプリンクラーヘッド３の上端取付用中空雄ネジ４を螺入し、該雄ネジ４の下部にスプリンクラーヘッド３を設ける。このスプリンクラーヘッド３は、感熱グラスバルブを使用したもの、感熱溶融体を使用したもの等、各種の感熱構造を有するものが用いられる。このスプリンクラーヘッド３には樹脂製の保護キャップ５が下方から全体に被覆されている。
【００２４】
上記スプリンクラー配管１の先端部１’と上記取付用六角ナット２との間に、円形の中空フランジ６を介在させて、該フランジ６を上記先端部１’と上記六角ナット２との間に一体的に締付けて挟持する。図１では円形フランジ６を示しているが、このフランジ６の形状は四角形、六角形等の多角形状をとり得るものである（図３、図５は四角形状のフランジ６を示している）。尚、上記中空フランジ６と上記六角ナット２（ソケット部分）を一体として一部品で形成してもよい。また、本実施形態では上記フランジ６の部分を先端管部とする。また、上記中空フランジ６と六角ナット２から構成されるソケット部分は各種形態が考えられるのであり、上記実施形態に限定されない。
【００２５】
中空フランジ６の外周面には図１に示すように中空部中心に向う複数（本実施形態では２個）の螺孔７，７を穿設する。
【００２６】
このスプリンクラー配管１は、上記実施形態の他、各種の形態が考えられる。例えば、配管先端部分をステンレスフレキ管により構成し、六角ナット２及びフランジ６の部分（ソケット部分）を任意の方向に向けることができるようにしたもの、その他、合成樹脂管、鋼管を用いたものであっても良い。
【００２７】
１４は（図２参照）、上記スプリンクラー配管１の上記中空フランジ６に装着することで、上記スプリンクラーヘッド３を保護するスプリンクラーヘッド用保護カバーであり、上記中空フランジ６に嵌合装着するための環状装着部８と、該装着部８の下側（一方縁側）に該装着部８と一体に形成され中央が膨出した樽状の中空多孔防護枠１０と、該防護枠１０の下端に設けられた開口環１１とから構成され、合成樹脂により一体的に形成されている。
【００２８】
上記環状装着部８は、装着する上記フランジ６に嵌合し得るように、該フランジ６の形状と相似形状をなすものであり、上記フランジ６が円形であれば、該環状装着部８も円形（図２に示す円柱形状）、上記フランジ６が多角形（六角形等）であれば、該環状装着部８も多角形（多角柱、六角柱等）に形成されるものである。図２は円柱形状の環状装着部８を示す。
【００２９】
上記樽状の中空多孔防護枠１０は、図２に示すように、全体としては、横断面が円環状の樽型をなすものであり、上側の上記環状装着部８との連結部１３ａ、及び下側の開口環１１との連結部１３ｂが最小径であり、これら最小径の連結部１３ａ，１３ｂから徐々にその直径を拡大して行き、その中央部に最大径部１３ｃが存在するような中空の樽形状となっている。
【００３０】
そして、上記中空多孔防護枠１０には、上段に周方向に複数の略方形の貫通孔１０ａが貫設され、中段に周方向に複数の略方形の貫通孔１０ｂが貫設され、さらに下段に周方向に複数の略方形の貫通孔１０ｃが貫設され、これにより、上段から下段に向けて弧状縦枠１０’、中段の貫通孔１０ｂと下段の貫通孔１０ｃ、及び中段の貫通孔１０ｂと上段の貫通孔１０ａの間に環状横枠１０”が形成されている。即ち、上記保護カバー１４は図２に示すように上方から下方に向かう４本の弧状縦枠１０’と、上下２本の横枠１０”との一体交差枠として構成されている。
【００３１】
そして、上記中空多孔防護枠１０の下端には円柱形状の開口環１１が上記防護枠１０と一体的に形成されている。
【００３２】
このような形状のスプリンクラーヘッド用保護カバー１４は、弾性のある合成樹脂により一体成形で構成されているため、中空多孔防護枠１０の弧状縦枠１０’及び環状横枠１０”は外側から内側方向への圧力が作用して内側方向に変形したとしても、その弾性により容易に図２の樽形状に復帰し得るように構成されており、これにより、保護カバー１４内部に位置するスプリンクラーヘッド３を保護するものである。
【００３３】
上記環状装着部８には上記螺孔７，７と符合する位置に複数の透孔（ネジ孔）７’，７’が穿設されており、これらの透孔７’，７’から上記螺孔７，７に蝶ネジ９，９を螺入することによって上記環状装着部８を上記フランジ６に着脱自在に固定することができる（図３参照）。勿論上記環状装着部８の内径は、上記取付ナット２の外径及び上記保護キャップ５の外径よりも大である。
【００３４】
このスプリンクラーヘッド用保護カバー１４は、図３のように上記フランジ６に環状装着部８を以って装着した状態においては、該カバー１４の下端が上記保護キャップ５の下端（Ｕ字形取手）５’よりさらに下方に延出するように構成し、該下端の開口環１１の内径を上記保護キャップ５の外径より大とする。
【００３５】
図２において１５は温度表示ラベルであり、上記保護カバー１４の弧状縦枠１０’に貼着されている。この温度表示ラベルは、特定温度になると変色して当該特定温度になったことを表示するものであり、一度変色するともとの色に戻らない不可逆性示温材を使用する。このように構成すると、運搬途中に仮に上記特定温度以上になった場合は、上記温度表示ラベル１５の表示色によりその旨認識することができるため、当該スプリンクラーヘッドについては内部を点検する等の検査を行うことができる。また、上記スプリンクラーヘッド用保護カバー１４は、スプリンクラーヘッドの温度管理の面からみると、中空多孔構造であるためカバー１４内部に空気が滞留することがなく、温度上昇を防止することができるものである。
【００３６】
尚、本実施形体ではスプリンクラーヘッド用保護カバー１４の材質は合成樹脂としたが、弾力性を有する金属で構成しても良い。
【００３７】
本発明に係るスプリンクラーヘッド用保護カバーは、上述のように構成されるものであるから、スプリンクラーヘッド３が先端部に装着されたスプリンクラー配管１において、上記スプリンクラーヘッド３に保護キャップ５を装着した状態で、上記配管１の上記フランジ６にスプリンクラーヘッド用保護カバー１４の環状装着部８を嵌合装着する。
【００３８】
即ち、保護キャップ５の装着されたスプリンクラーヘッド３にその下端部側から上記保護カバー１４の環状装着部８を挿通し、該環状装着部８を上記中空フランジ６の外周に嵌合装着する。
【００３９】
そして、図３に示すように、環状装着部８の透孔７’、７’に蝶ネジ９，９を挿入し、これら蝶ネジ９，９を上記フランジ６の螺孔７，７に螺合することにより、当該スプリンクラーヘッド用保護カバー１４を上記フランジ６に固定する。
【００４０】
この状態においては、上記キャップ５の装着されたスプリンクラーヘッド３は、その全周に亙り、当該保護キャップ５と所定の間隔をおいて、上記保護カバー１４の中空多孔防護枠１０が存在することになり、また、上記保護キャップ５の下端のＵ字形取手５’の部分も上記保護カバー１４の開口環１１の内側に収納された状態となる（図３、図４の状態）。即ち、上記環状装着部８を上記フランジ６に固定することにより、上記中空多孔防護枠１０が上記スプリンクラー配管１の先端に取り付けられたスプリンクラーヘッド３の外周面を、該面に対して所定間隔を以って被覆する。
【００４１】
従って、図４に示すように、スプリンクラーヘッド３の装着された所定長さのスプリンクラー配管１の状態で運搬を行い、現場に持ち込むことになるが、この際、スプリンクラーヘッド３の部分にはスプリンクラーヘッド用保護カバー１４が装着されているので、運搬途中において当該保護カバー１４部分が他の物品に当接したとしても、保護カバー１４の弧状縦枠１０’或いは環状横枠１０”が振動を吸収し得るため、内部のスプリンクラーヘッド３に伝達される振動を減衰させることができ、該ヘッド３を保護することができる。
【００４２】
また、上記弧状縦枠１０’及び上記環状横枠１０”が変形して当接による衝撃を吸収するため、内部のスプリンクラーヘッド３を保護することができる。
【００４３】
また、運搬途中において当該保護カバー１４部分が他の物品に当接したとしても、保護カバー１４の弧状縦枠１０’或いは環状横枠１０”が変形することにより、衝撃を吸収し得るため、内部のスプリンクラーヘッド３に当接による衝撃が直接加わることはない。
【００４４】
また、特に、スプリンクラーヘッド用保護カバー１４は保護キャップ５と異なり、スプリンクラーヘッド３自体には装着されておらず、その環状装着部８がスプリンクラー配管１側のフランジ６に装着されているため、スプリンクラー用保護カバー１４に対して加わる振動、衝撃等はスプリンクラーヘッド３に直接伝達されない構造となっており、従って、スプリンクラーヘッド１に対する極めて高い保護効果を発揮し得るものである。
【００４５】
現場において、スプリンクラー配管を取り付けるには、蝶ネジ９，９を緩めてスプリンクラーヘッド用保護カバー１４を上記フランジ６から取り外し、その状態で天井１２裏に配管１を敷設し、天井１２の開口１２’内にスプリンクラーヘッド３を図１に示すように配設し、当該ヘッド３を上記スプリンクラー配管１の先端部に装着する。
【００４６】
その後、上記保護キャップ５の下端に設けた半円環又はＵ字形取手５’をペンチ又はフック等で挟持して保護キャップ５を下方に牽引し又は中心線ｃの回りに回動することによって上記保護キャップ５をスプリンクラーヘッド３から分離し、天井１２の開口部１２’からスプリンクラーヘッド３を露出させて作業を終了する。
【００４７】
図５に示すものは、本発明に係るスプリンクラーヘッド用保護カバーの他の実施形体を示すものであり、上記実施形態と同一部分又は対応部分には同一符号を付している。この保護カバー１４は、中空多孔防護枠１０が円柱状に形成されており、上下方向に長い方形貫通孔１０ａが周方向に複数個貫設されており、これにより上下方向の縦枠１０’が形成されている。この実施形態の保護カバー１４も上記スプリンクラー配管１の上記フランジ６に蝶ネジ９，９を以って固定されるものであり、当該装着状態においては、内部のスプリンクラーヘッド３の保護キャップ５の外周を複数の上記縦枠１０’により、所定間隔を以って被覆した状態となり、外部からの衝撃を吸収等することにより内部のスプリンクラーヘッド３を保護するものである。
【００４８】
この実施形態によると、保護カバー１４が円柱状であるため、上記実施形態における樽形状の保護カバーと比較して運搬時のスペース効率に優れており、多数のスプリンクラー配管をまとめて運搬する場合に適している。
【００４９】
また、図２の実施形態では、スプリンクラーヘッド用保護カバーの中空多孔防護枠１０の貫通孔１０ａ等は、上下３段としたが、上下２段としても良いし、図５の実施形態のように上下方向には貫通孔を分割せずに、複数の縦枠１０’による縦長の貫通孔１０ａを円周方向に複数設けても良い。
【００５０】
また、上記実施形態ではスプリンクラーヘッド３に保護キャップ５を装着した状態でスプリンクラーヘッド用保護カバー１４をフランジ６に装着する場合を示したが、状況等によってはスプリンクラーヘッド３に保護キャップ５を装着することなく、スプリンクラーヘッド用保護カバー１４を上記フランジ６に装着する場合も考えられる。
【００５１】
以上のように、本発明によると、スプリンクラーヘッド３の装着されたスプリクラー配管１の先端部のフランジ６に本発明に係るスプリンクラーヘッド用保護カバー１４を装着すると、当該保護カバー１４がスプリンクラーヘッド３を全体的に覆い、また当該保護カバー１４はスプリンクラー配管１側に固定されるので、当該保護カバー１４が外部からの振動等を吸収して、振動等のスプリンクラーヘッド３への直接の伝達を制限し得てスプリンクラーヘッド３を保護することができる。
【００５２】
また、スプリンクラーヘッド用保護カバー１４を樽形状の中空多孔保護枠１０により形成することにより、外部からの衝撃等により上記保護カバー１４がある程度変形したとしても、内部のスプリンクラーヘッド３を効果的に保護することができる。
【００５３】
また、円柱状のスプリンクラーヘッド用保護カバーを用いることにより、外部からの衝撃等により内部のスプリンクラーヘッド３を保護し得ると共に、スプリンクラー配管１として運搬する場合等においてスペース効率を向上することができる。
【００５４】
また、スプリンクラーヘッド用保護カバー１４を装着したスプリンクラー配管１を用いることにより、スプリンクラー配管１の運搬時においてスプリンクラーヘッド３を効果的に保護することができると共に、現場においてスプリンクラー設備の設置作業をより効率的に行うことができる。
【００５５】
また、温度表示ラベル１５の表示色をみることにより、スプリンクラーヘッドの運搬中の温度管理を行うこともできるものである。
【産業上の利用可能性】
【００５６】
スプリンクラーヘッド付のスプリンクラー配管の現場への運搬時、作業時のスプリンクラーヘッドをより効果的に保護することができ、多数のスプリンクラー配管１を使用する例えば高層建築物の工事現場において、より効率的なスプリンクラー設備の設置作業を実現し得るものである。
【図面の簡単な説明】
【００５７】
【図１】本発明に係るスプリンクラー配管及びスプリンクラーヘッドの側面図である。
【図２】本発明に係るスプリンクラーヘッド用保護カバーの斜視図である。
【図３】同上保護カバーをスプリクラー配管に装着した状態の側面図である。
【図４】同上保護カバーを装着したスプリンクラー配管の側面図である。
【図５】同上保護カバーの他の実施形態の側面図である。
【符号の説明】
【００５８】
１              スプリンクラー配管
１’            先端部
２              取付けナット
３              スプリンクラーヘッド
４              上端取付ネジ
５              保護キャップ
６              中空フランジ
７              螺孔
７’            透孔
８              環状装着部
９              螺子
１０            中空多孔防護枠
１１            開口環
１３ａ，１３ｂ  最小径部
１３ｃ          最大径部
１４            スプリンクラーヘッド用保護カバー
１５            温度表示ラベル
【図１】
2010005205.tif 000003
【図２】
2010005205.tif 000004
【図３】
2010005205.tif 000005
【図４】
2010005205.tif 000006
【図５】
2010005205.tif 000007